(57)【要約】【課題】本発明は、据付作業の手間を軽減することができ、運搬性に優れたエレベータの据付作業用支持装置を得ることを目的とするものである。【解決手段】傾斜部１０は、一対の傾斜部材１１ａ，１１ｂと、傾斜部材１１ａ，１１ｂに回動自在に接続された一対の端部支持板１２ａ，１２ｂと、端部支持板１２ａ，１２ｂにより両端部が支持されている棒状の吊り部材１３とを有している。吊り部材１３には、揚重機１４が吊り下げられている。傾斜部１０には、足場支持部１６が回動可能に接続されている。足場支持部１６は、傾斜部１０に沿う収納状態と、水平なパネル支持状態との間で回動変位される。【選択図】図１
2009067495.tif 000002
【特許請求の範囲】
【請求項１】
エレベータ乗場の床部に固定されるベース部、
下端部が上記ベース部に接続されており、上端部が乗場出入口の上方で乗場壁に当接されて上記エレベータ乗場に立設される縦柱部、
下端部が上記ベース部に回動可能に接続されており、かつ揚重機を支持する揚重機支持部を有しており、昇降路内に斜めに配置される傾斜部、
上記縦柱部と上記傾斜部との間に接続され、上記昇降路側へ倒れる方向への上記傾斜部の回動を規制する回動規制体、及び
上記傾斜部に回動可能に接続されており、上記傾斜部に沿う収納状態と作業者が乗る足場パネルを支持する水平なパネル支持状態との間で回動変位される足場支持部
を備えていることを特徴とするエレベータの据付作業用支持装置。
【請求項２】
上記縦柱部は、長手方向に伸縮可能な一対の縦柱を有していることを特徴とする請求項１記載のエレベータの据付作業用支持装置。
【請求項３】
上記回動規制体は、上記足場支持部がパネル支持状態のときに上記足場支持部と上記縦柱部との間に接続されて上記足場支持部を水平に保つ水平保持部材であることを特徴とする請求項１又は請求項２に記載のエレベータの据付作業用支持装置。
【請求項４】
上記足場支持部には、作業手摺が装着される複数の手摺装着部が設けられていることを特徴とする請求項１から請求項３までのいずれか１項に記載のエレベータの据付作業用支持装置。
【発明の詳細な説明】
【技術分野】
【０００１】
この発明は、エレベータの据付作業に用いられ、揚重機や足場パネルを支持するエレベータの据付作業用支持装置に関するものである。
【背景技術】
【０００２】
従来のエレベータの据付作業においては、最上階のエレベータ乗場の乗場出入口に据付用揚重装置が設置される。据付用揚重装置は、乗場出入口に立設されるパイプサポートと、パイプサポートに回動可能に取り付けられた腕体と、腕体の先端に取り付けられた揚重設備とを有している（例えば、特許文献１参照）。
【０００３】
【特許文献１】特開２０００−２３８９７２号公報
【発明の開示】
【発明が解決しようとする課題】
【０００４】
上記のような従来の据付作業では、据付用揚重装置を設置して揚重作業を行った後、据付用揚重装置を撤去し、作業足場を設置する必要があり、手間がかかっていた。また、エレベータの据付作業に使用する足場取付枠や治工具は重量物であり、設置場所までの運搬に多大な労力を要していた。
【０００５】
この発明は、上記のような課題を解決するためになされたものであり、据付作業の手間を軽減することができ、運搬性に優れたエレベータの据付作業用支持装置を得ることを目的とする。
【課題を解決するための手段】
【０００６】
この発明に係るエレベータの据付作業用支持装置は、エレベータ乗場の床部に固定されるベース部、下端部がベース部に接続されており、上端部が乗場出入口の上方で乗場壁に当接されてエレベータ乗場に立設される縦柱部、下端部がベース部に回動可能に接続されており、かつ揚重機を支持する揚重機支持部を有しており、昇降路内に斜めに配置される傾斜部、縦柱部と傾斜部との間に接続され、昇降路側へ倒れる方向への傾斜部の回動を規制する回動規制体、及び傾斜部に回動可能に接続されており、傾斜部に沿う収納状態と作業者が乗る足場パネルを支持する水平なパネル支持状態との間で回動変位される足場支持部を備えている。
【発明の効果】
【０００７】
この発明のエレベータの据付作業用支持装置は、傾斜部に揚重機支持部が設けられており、かつ足場パネルを支持する足場支持部が傾斜部に回動可能に接続されているので、揚重作業を行った後に、ベース部や縦柱部を撤去する後戻り作業をすることなく、足場を組むことができ、据付作業の手間を軽減することができる。また、ベース部、縦柱部及び傾斜部は、揚重作業と足場作業とで共用されるため、最上階のエレベータ乗場に持ち込む部品全体の重量を軽減することができ、運搬性にも優れている。
【発明を実施するための最良の形態】
【０００８】
以下、この発明を実施するための最良の形態について、図面を参照して説明する。
実施の形態１．
図１はこの発明の実施の形態１によるエレベータの据付作業用支持装置のエレベータ乗場への設置状態を示す斜視図、図２は図１の据付作業用支持装置を示す側面図、図３は図１の据付作業用支持装置を示す平面図である。
【０００９】
図において、最上階のエレベータ乗場の床部には、ベース部１が固定されている。ベース部１は、床固定部材２と、一対の係合部材（引っ掛け部材）３ａ，３ｂを有している。床固定部材２は、複数のアンカボルトにより、乗場出入口の幅方向に平行に床部に固定されている。係合部材３ａ，３ｂは、乗場出入口の幅方向に互いに間隔をおいて床固定部材に接続されている。また、係合部材３ａ，３ｂの先端部は、乗場出入口の下縁部に係合されている。
【００１０】
ベース部１上には、縦柱部４が立設されている。縦柱部４は、一対の縦柱５ａ，５ｂと、縦柱５ａ，５ｂの中間部間に接続された棒状の繋ぎ部材６とを有している。縦柱５ａ，５ｂは、乗場出入口の幅方向に互いに間隔をおいて垂直に立設されている。縦柱５ａ，５ｂの下端部は、床固定部材２と係合部材３ａ，３ｂとの接続部に接続されている。繋ぎ部材６は、縦柱５ａ，５ｂの長手方向に対して直角、即ち水平に配置されている。
【００１１】
各縦柱５ａ，５ｂは、ベース部１に接続された下部柱部材７と、下部柱部材７に接続された上部柱部材８と、上部柱部材８の上端部に螺着され、乗場出入口の上方で乗場壁に当接された支えボルト９とを有している。繋ぎ部材６は、下部柱部材７の上端部間に接続されている。
【００１２】
下部柱部材７に対する上部柱部材８の接続位置は、調整可能になっている。これにより、各縦柱５ａ，５ｂは長手方向に伸縮可能となっている。即ち、縦柱部４は、高さ寸法が可変となっている。また、支えボルト９の締め付け量を調整することにより、上部柱部材８と乗場壁との間の間隔が調整可能となっており、これにより床部に対する縦柱５ａ，５ｂの角度が調整可能となっている。
【００１３】
ベース部１には、昇降路内に斜めに配置された傾斜部１０の下端部が接続されている。傾斜部１０は、乗場出入口の幅方向に互いに間隔をおいて配置された一対の棒状の傾斜部材１１ａ，１１ｂと、傾斜部材１１ａ，１１ｂの上端部近傍に回動自在に接続された一対の端部支持板１２ａ，１２ｂと、端部支持板１２ａ，１２ｂにより両端部が支持されている揚重機支持部としての棒状の吊り部材１３とを有している。
【００１４】
傾斜部材１１ａ，１１ｂの下端部は、係合部材３ａ，３ｂに回動可能に接続されている。これにより、傾斜部１０は、縦柱部４に対して傾斜した使用状態と縦柱部４に重ねた折り畳み状態との間で回動変位可能となっている。吊り部材１３には、揚重機１４が吊り下げられている。
【００１５】
縦柱５ａ，５ｂと傾斜部１０との間には、昇降路側へ倒れる方向への傾斜部１０の回動を規制する回動規制体としての一対の送り出しロープ１５ａ，１５ｂが接続されている。据付作業用支持装置の設置時には、送り出しロープ１５ａ，１５ｂをエレベータ乗場から昇降路側へ送り出すことにより、傾斜部１０を回動させ傾斜させる。
【００１６】
傾斜部１０には、足場支持部１６（図２及び図３では図示略）が回動可能に接続されている。足場支持部１６は、傾斜部材１１ａ，１１ｂの上端部に回動自在に接続された一対の棒状のパネル取付部材１７ａ，１７ｂを有している。また、足場支持部１６は、傾斜部１０に沿う収納状態（図１）と、水平なパネル支持状態（図４及び図５）との間で回動変位される。揚重機１４を用いた揚重作業時には、足場支持部１６は収納状態される。
【００１７】
図４は図１の足場支持部１６をパネル支持状態に変位させた状態を示す斜視図、図５は図４の据付作業用支持装置を用いた昇降路内での据付作業の様子を示す側面図である。傾斜部材１１ａ，１１ｂの上端部は、パネル取付部材１７ａ，１７ｂの反エレベータ乗場側端部から所定の寸法だけエレベータ乗場側の位置でパネル取付部材１７ａ，１７ｂに接続されている。
【００１８】
パネル取付部材１７ａ，１７ｂには、一対の棒状の水平保持部材１８ａ，１８ｂが回動可能に接続されている。水平保持部材１８ａ，１８ｂは、足場支持部１６がパネル支持状態のとき、縦柱５ａ，５ｂに接続されて足場支持部１６を水平に保つ。このとき、水平保持部材１８ａ，１８ｂは、昇降路側へ倒れる方向への傾斜部１０の回動を規制する回動規制体を兼ねる。
【００１９】
水平保持部材１８ａ，１８ｂは、パネル取付部材１７ａ，１７ｂが収納状態のときには、縦柱５ａ，５ｂから切り離され、パネル取付部材１７ａ，１７ｂと同様に傾斜部材１１ａ，１１ｂに沿う収納状態にされる（図１）。
【００２０】
足場支持部１６がパネル支持状態のとき、パネル取付部材１７ａ，１７ｂ上には、作業者が乗る複数枚の足場パネル１９が並べて取り付けられる。パネル取付部材１７ａ，１７ｂには、複数の手摺装着部（手摺柱取付ガイド筒）２０がそれぞれ設けられている。手摺装着部２０には、作業手摺２１が装着される。
【００２１】
作業手摺２１は、手摺装着部２０に挿入され立設される複数本の手摺柱２２と、手摺柱２２に取り付けられる手摺枠２３とを有している。手摺枠２３は、足場パネル１９により形成された足場の上方の空間を囲むように配置される。また、エレベータ乗場の床部と足場パネル１９との間には、タラップ２４（図５）が掛けられる。
【００２２】
次に、据付作業用支持装置の設置方法について説明する。まず、エレベータ乗場の床部にベース部１を固定し、縦柱部４を立設する。このとき、支えボルト９の締め付け量を調整することにより、縦柱部４を垂直に立設する。そして、傾斜部材１１ａ，１１ｂに端部支持板１２ａ，１２ｂ及び吊り部材１３を取り付け、吊り部材１３に揚重機１４を吊り下げる。この後、送り出しロープ１５ａ，１５ｂを昇降路側へ送り出すことにより、傾斜部１０を所定の角度まで傾斜させる。この状態で、最上階のエレベータ乗場への揚重荷の揚重作業を行うことができる。
【００２３】
揚重作業が終了すると、送り出しロープ１５ａ，１５ｂをエレベータ乗場側へ手繰り寄せることにより、傾斜部１０及び揚重機１４をエレベータ乗場側へ引き寄せ、揚重機１４を吊り部材１３から取り外すとともに、傾斜部１０から端部支持板１２ａ，１２ｂ及び吊り部材１３を取り外す。
【００２４】
この後、水平保持部材１８ａ，１８ｂを縦柱５ａ，５ｂに接続し、送り出しロープ１５ａ，１５ｂを取り外して、傾斜部１０を再び傾斜させるとともに、足場支持部１６をパネル支持状態に移行させる。そして、パネル取付部材１７ａ，１７ｂ上に足場パネル１９を取り付けるとともに、エレベータ乗場と足場パネル１９との間にタラップ２４を掛ける。さらに、足場支持部１６上に作業手摺２１を立設する。この状態で、図５に示すように、昇降路の頂部における機器の設置作業を行うことができる。
【００２５】
このような据付作業用支持装置では、傾斜部１０に吊り部材１３が設けられており、かつ足場パネル１９を支持する足場支持部１６が傾斜部１０に回動可能に接続されているので、揚重作業を行った後に、ベース部１や縦柱部４を撤去する後戻り作業をすることなく、足場を組むことができ、据付作業の手間を軽減することができる。また、ベース部１、縦柱部４及び傾斜部１０は、揚重作業と足場作業とで共用されるため、最上階のエレベータ乗場に持ち込む部品全体の重量を軽減することができ、運搬性にも優れている。
【００２６】
また、縦柱５ａ，５ｂが長手方向に伸縮可能であるため、エレベータ乗場の天井高さや乗場出入口の開口高さの異なる建物にも容易に適用できるとともに、運搬性をさらに向上させることができる。
さらに、足場支持部１６がパネル支持状態のとき、足場支持部１６と縦柱部４との間に水平保持部材１８ａ，１８ｂが接続されるので、簡単な構造により足場支持部１６を水平に保つことができる。
さらにまた、足場支持部１６には、作業手摺２１が装着される複数の手摺装着部２０が設けられているので、足場組立時に作業手摺２１を容易に立設することができる。
【図面の簡単な説明】
【００２７】
【図１】この発明の実施の形態１によるエレベータの据付作業用支持装置のエレベータ乗場への設置状態を示す斜視図である。
【図２】図１の据付作業用支持装置を示す側面図である。
【図３】図１の据付作業用支持装置を示す平面図である。
【図４】図１の足場支持部をパネル支持状態に変位させた状態を示す斜視図である。
【図５】図４の据付作業用支持装置を用いた昇降路内での据付作業の様子を示す側面図である。
【符号の説明】
【００２８】
１  ベース部、４  縦柱部、５ａ，５ｂ  縦柱、１０  傾斜部、１３  吊り部材（揚重機支持部）、１４  揚重機、１５ａ，１５ｂ  送り出しロープ（回動規制体）、１６  足場支持部、１８ａ，１８ｂ  水平保持部材（回動規制体）、１９  足場パネル、２０  手摺装着部、２１  作業手摺。
【図１】
2009067495.tif 000003
【図２】
2009067495.tif 000004
【図３】
2009067495.tif 000005
【図４】
2009067495.tif 000006
【図５】
2009067495.tif 000007